(57)【要約】      （修正有）【課題】開眼効果を有する紙人形を提供する。【解決手段】紙人形の表面に配置される文字または記号領域を含み、文字または記号は、文字または記号領域に色変化可能インクによって配置される。さらに紙人形は、紙人形の顔面に配置される軌道領域を含み、瞳部分は、軌道領域に付着または描画される。【選択図】図１
0003155104.tif 000002
【実用新案登録請求の範囲】
【請求項１】
紙人形の表面に配置される文字または記号領域、および、
前記文字または記号領域に色変化可能インクにより配置される文字または記号、から構成される、本体および顔を含む紙人形。
【請求項２】
前記色変化可能インクは、温度感度のある色変化可能インクまたは光感度のある色変化可能インクから成り、前記紙人形は板紙または製紙パルプによって形成され、前記文字または記号は前記文字または記号領域に印刷、描画、またはパッド印刷され、前記文字または記号領域は前記紙人形の前記本体の前面、前記本体の背面、頭の上面、または額面に配置される、請求項１に記載の紙人形。
【請求項３】
前記紙人形の底部に形成される基部から構成される、請求項１に記載の紙人形。
【請求項４】
前記紙人形の前記顔面に配置される軌道領域、および、
前記軌道領域に付着または描画される瞳部分、
から構成される、請求項１に記載の紙人形。
【請求項５】
前記紙人形の前記顔面に付着または描画される顔特徴部分から構成される、請求項１に記載の紙人形。
【考案の詳細な説明】
【技術分野】
【０００１】
本考案は人形、およびより詳細には紙人形に関する。
【背景技術】
【０００２】
紙人形は製造費用の低い人形である。プレイヤーは、紙を切る技術またはナイフモールドを使用することによって紙人形を作るため紙片を利用することが可能であり、および紙人形の形は動物、人形、または建物などであることが可能である。ナイフモールドと紙の間の係合構造が使用される場合は、製造時間が短くなることが可能である。紙人形の最も重要な特徴は、プレイヤー自身の手によって作ることである。
【０００３】
例として、従来の紙人形は主に、決められた厚さの板紙から成る。同一の人形の型および人形の付属物の型は板紙の二つの面に描かれ、および特別な線および識別可能な記号が、人形の型と付属物の型を除いて紙の二つの面にそれぞれ描画される。線は全線、点線、および一点鎖線に分けられる。全線は切断線であり、および人形および付属物の板紙が主板紙から容易にはがされることができるよう予備処理される。点線および一点鎖線はそれぞれ、型の曲線位置を示す。点線は型の凹面をなしている場所の底部になる点線に沿って内側に板紙の型を曲げる場所を示し、および一点鎖線は型の凸面をなしている場所の頂部になる一点鎖線に沿って外側に板紙の型を曲げる場所を示す。
【０００４】
人形の板紙上の認識記号（例としてローマ字、数字など）は、作成順序および互いに接続する板紙の部分を表す。紙人形は一連の異なる記号により作成される。接続部分は英字の大文字または小文字で明らかにされる。型のある板紙上のピンは互いに接続する切り溝に挿入されるために使用され、および板紙上のスリットは分岐および互いに連結されるために使用される。最後に、人形の付属物は立体的な紙人形を形成するため組み立てられる。人形の立体的なリアリティは、板紙の張力および柔軟性を通して強調される。英字のある板紙の表面は人形の内部に設置されるので、ゆえに外に曝されることや外側から見られることはない。立体的な紙人形の形は、異なる型に作られることが可能である。例として、人間形の紙人形は、人間の形の紙人形の顔の立体的な感じを強調できるよう、一対の区別される耳を有することにより特徴づけられる。
【０００５】
しかしながら、上記の従来の紙人形は異なる形以外の他の特徴がなく、および美しさを除いての他の利点がない。プレイヤーは完成した従来の紙人形を見ることのみが可能で、紙人形と交流することはできない。さらに、完成した紙人形はさらに変化することはできず、および装飾としてのみ使用されることが可能であり、実際に影響を与えることがない。
【０００６】
従って、前述の問題を解決する新規の紙人形が必要とされる。
【考案の概要】
【考案が解決しようとする課題】
【０００７】
前述の問題に関して、本考案は新規の紙人形を開示する。
【課題を解決するための手段】
【０００８】
一態様では、本考案は紙人形の表面に配置される文字または記号領域を含む紙人形を開示する。および文字または記号は、色変化が可能なインクによって文字または記号領域に配置される。色変化が可能なインクは、温度感度のある色変化可能インク、または光感度のある色変化可能インクである。文字または記号領域は、本体の前面、本体の背面、紙人形の頭の上、または額に設置されうる。
【０００９】
他の態様では、本考案は紙人形の顔面に配置される軌道領域を含む紙人形を開示し、および瞳部分は軌道領域に接着される。
【００１０】
また他の態様では、本考案は紙人形の顔面に配置される軌道領域を含む紙人形を開示し、および瞳部分は軌道領域に描かれる。
【００１１】
前記の態様の紙人形は、紙人形の底部に形成される基部を選択的に含みうる。基部はハス型底部またはいずれの他の型の底部を含むが、これに限定されない。
【考案の効果】
【００１２】
本考案の一つの利点は、本考案によって、神像の形の紙人形が開眼効果を有すること、およびより生きているようになることが可能になる。
【００１３】
本考案の他の利点は、本考案によって、使用者が紙人形と交流することが可能になる。
【００１４】
本考案のまた他の利点は、本考案は紙人形によって表される神に使用者がより近くなることが可能である。
【００１５】
本考案のまた他の利点は、本考案は紙人形によって表される神への使用者の信仰を高めることが可能である。
【００１６】
これらおよび他の利点は、付属の図面および添付の請求の範囲とともに、追随する好適な実施例の説明から明らかになる。
【００１７】
本考案はいずれの他の型の紙人形に適用されることが可能である。例として、接着性の型を接着または直接描画の技術が動物の目および顔貌に適用されることが可能であり、および色変化可能インクが灯台によって発光される光の実行に適用されることが可能である。
【図面の簡単な説明】
【００１８】
本考案の前述の要素、特徴、および利点は、追随する詳細な説明を読むことおよび付随する図面によって、より良く理解されうる。
【図１】本考案の一実施例による紙人形の図である。
【図２】本考案の一実施例による紙人形の図である。
【考案を実施するための形態】
【００１９】
本考案はここで好適な実施例および態様により説明され、およびこれらの記述は考案の構造及び手順を例証のためにのみ説明するものであり、本考案の実用新案登録請求の範囲を限定するためのものではない。従って、明細書の好適な実施例以外に、本考案は他の実施例にも広く使用されうる。
【実施例】
【００２０】
本考案は図１を参照に紙人形を開示する。図１に示されるように、紙人形１０は文字または記号領域１０１を含む。一実施例では、紙人形１０は観音（アバロキテーシュバラまたは慈悲の神とも称される）像、チャイニーズマンモン（富の神とも称される）、媽祖像、関羽像、Ｗｅｎ−Ｃｈａｎｇ像、Ｃｈｉ−Ｋｕｎｇ像、福徳正神（土地公）像、弥勒菩薩（マイトレーヤとも称される）像、釈迦像、またはいずれの他の型の神像でありうる。本考案の他の実施例では、紙人形１０はまた、人間の形の人形、動物の形の人形、建物の形の人形、またはいずれの他の型の人形でありうる。本考案の一実施例では、紙人形１０は板紙または成形製紙パルプによって作られうる。図１に示される観音像は例証のためのみであり、本考案を限定するものではない。文字または記号領域１０１は、本体の前面、本体の背面、頭の頂部、額、または紙人形１０のいずれの他の部分の面に設置されうる。図１に示されるような一実施例では、文字または記号領域１０１は紙人形１０の本体の前側の面に設置されており、これは例証のためのみであり、本考案を制限するためのものではない。例として図１に示されるような中国文字である複数の文字または記号１０２は、文字または記号領域１０１に、印刷、パッド印刷、または色変化可能インクで描画することにより設置されうる。
【００２１】
色変化可能インクは色が変化できるインクである。一実施例中、色変化可能インクは、温度感度のある色変化可能インクまたは光感度のある色変化可能インクを含む。一実施例中、色変化可能インクが温度感度のある色変化可能インクである場合、使用者が文字または記号領域１０１上に文字または記号１０２を描くとき、文字または記号１０２の色は温度の上昇により現れる、または変化する。従って、元は見えない文字または記号１０２が可視の文字または記号１０２に変化し、または文字または記号１０２の色が初めの色から第二の色に変化する。他の実施例では、色変化可能なインクが光感度のある色変化可能インクである場合、使用者が太陽光またはランプから発光される光を紙人形１０の文字または記号領域１０１上の文字または記号１０２に向かって照射させるとき、文字または記号１０２は、太陽光またはランプから発光される光の照射により現れる、または変化する。従って、元は見えない文字または記号１０２が可視の文字または記号１０２に変化し、または文字または記号１０２の色が初めの色から第二の色に変化する。これにより、使用者が紙人形と交流するため、使用者は、描画または光の照射により文字または記号１０２が紙人形１０に出現または他の色に変化させることが可能である。
【００２２】
図１に示される一実施例では、紙人形１０は紙人形１０の顔面に設置される軌道領域１０３を含む。瞳部分１０４は、接着性の瞳形の型を付着することまたはインクで直接瞳形を描くことにより軌道領域１０３に配置される。一実施例中、例として前述の目、耳、口、鼻、または眉毛などの紙人形１０の顔貌特徴部分は、前記方法の付着またはインクでの直接描画によって、紙人形１０の顔面に配置されうる。従って、神像の形の紙人形１０が開眼効果を有することができるよう、および使用者が紙人形１０と交流することができるよう、使用者は、瞳部分１０４を軌道領域１０３に配置するため、軌道領域１０３に接着性の瞳形の型を付着またはインクで瞳型を直接描画することが可能である。使用者は、例として観音などの神により近くなることができ、およびまた、例として観音などの神に表される使用者の信仰も高められることが可能である。
【００２３】
図１に示されるように、紙人形１０は、紙人形１０の表面に形成される複数の折り線１０５を含む。使用者は、紙人形１０を図１に示される立体型に折るため折り線１０５を使用する。一実施例中、図２に示されるように、紙人形１０は紙人形１０の底部に配置される基部１０６を選択的に含む。一実施例中、基部１０６は、限定されるものではないがハス型の基部、金塊型の基部、雲型の基部、またはいずれの他の型の基部を含みうる。本考案は他の型の紙人形にも適用されることが可能であることに、注目されるべきである。例として、接着性の型の付着または直接描画の技術は動物の目や顔貌に適用されることが可能であり、および色変化可能なインクは燈台によって発光される光を実行するため適用されることが可能である。
【００２４】
前述の説明は本考案の好適な実施例である。この実施例は例証の目的のためにのみ説明され、制限するためのものではなく、および多数の変更および修正は、本考案の精神および範囲を逸脱しない範囲で同業者によって実行されうることが理解されるべきである。そのような修正および変更は、実用新案登録請求の範囲またはその同等のものである限りにおいて含まれることを意図する。
【符号の説明】
【００２５】
１０    紙人形
１０１  文字または記号領域
１０２  文字または記号
１０３  軌道領域
１０４  瞳部分
１０５  折り線
１０６  底部
【図１】
0003155104.tif 000003
【図２】
0003155104.tif 000004